(57)【要約】【課題】タッチパネルへの入力操作が行われる位置又は範囲に対して当該入力操作を可能とするための駆動電力を効果的に供給し、当該駆動電力を効率的に低減する。【解決手段】表示を行う表示部と、表示部の上面に配置され、当該表示部に対する入力操作を検出するタッチパネルと、表示部の表示部分を、入力操作を検出可能な表示範囲と、入力操作を検出不可能な表示範囲として管理するレイアウト管理制御部と、レイアウト管理制御部により表示部の表示範囲のうち入力操作の検出可能な表示範囲として管理されている表示範囲に対して、当該入力操作を検出可能とする駆動電力を前記タッチパネルに供給する様に指示する駆動電力供給制御部とを備える。【選択図】図２
2012033015.tif 000002
【特許請求の範囲】
【請求項１】
表示を行う表示部と、
前記表示部の上面に配置され、当該表示部に対する入力操作を検出するタッチパネルと、
前記表示部の表示範囲を、前記入力操作を検出可能な表示範囲と、前記入力操作を検出不可能な表示範囲として管理するレイアウト管理制御部と、
前記レイアウト管理制御部により前記表示部の表示範囲のうち前記入力操作の検出可能な表示範囲として管理されている表示範囲に対して、当該入力操作を検出可能とする駆動電力を前記タッチパネルに供給する様に指示する駆動電力供給制御部と、
を備える電子機器。
【請求項２】
請求項１に記載の電子機器であって、
前記駆動電力供給制御部の指示に基づいて、前記タッチパネルに前記駆動電力を供給する電源部と、を更に備える電子機器。
【請求項３】
請求項２に記載の電子機器であって、
前記駆動電力供給制御部は、前記タッチパネルへの入力操作を検出する前記表示部の表示範囲のうち当該入力操作を検出可能な表示範囲が当該入力操作を検出不可能な表示範囲に変更された場合に、当該変更された表示範囲に対して前記駆動電力の供給を遮断する様に前記電源部に指示する電子機器。
【請求項４】
請求項１〜３のうちいずれか一項に記載の電子機器であって、
前記表示部に表示されている画面を構成するレイアウトと、当該レイアウトにおいて前記入力操作を検出可能な表示範囲を示す有効範囲情報とを関連付けたレイアウト管理情報を保持する記憶部と、を更に備え、
前記レイアウト管理制御部は、前記表示部に表示されている画面を構成するレイアウトの有効範囲情報に対応する表示範囲に入力操作が行われた場合、前記記憶部に保持されているレイアウト管理情報に基づいて、当該入力操作が行われた当該画面を構成するレイアウトの前記有効範囲情報を前記駆動電力供給制御部に通知する電子機器。
【請求項５】
請求項４に記載の電子機器であって、
前記レイアウト管理情報は、前記画面に対する入力操作の検出可否を示すタッチパネル検出属性情報を更に含み、
前記レイアウト管理制御部は、前記レイアウト管理情報のタッチパネル検出属性情報が有効である場合に、前記有効範囲情報を前記駆動電力供給制御部に通知する電子機器。
【請求項６】
請求項２〜５のうちいずれか一項に記載の電子機器であって、
前記レイアウト管理制御部は、視聴内容表示範囲と操作項目内容表示範囲とを含む視聴レイアウトに基づく視聴画面が前記表示部に表示されている場合に、当該視聴内容表示範囲を前記入力操作の検出不可能な表示範囲として管理し、当該操作項目内容表示範囲を前記入力操作の検出可能な表示範囲として管理し、
前記駆動電力供給制御部は、前記レイアウト管理制御部により前記入力操作の検出不可能な表示範囲として管理されている前記視聴内容表示範囲に対して前記駆動電力の供給を遮断する様に前記電源部に指示する電子機器。
【請求項７】
請求項４又は５に記載の電子機器であって、
前記レイアウト管理制御部は、前記画面を構成するレイアウトのレイアウト構成情報を取得し、当該レイアウト構成情報に基づいて複数のレイアウトが階層的に位置している場合には、当該複数のレイアウトのうち最上位に位置するレイアウトにおけるレイアウト管理情報の有効範囲情報を前記駆動電力供給制御部に通知する電子機器。
【請求項８】
請求項４又は５に記載の電子機器であって、
前記レイアウト管理制御部は、所定事項表示範囲を含むポップアップレイアウトに基づくポップアップ画面が前記表示部に表示されている場合に、当該所定事項表示範囲を前記入力操作の検出可能な表示範囲として管理し、
前記駆動電力供給制御部は、前記レイアウト管理制御部により前記入力操作の検出可能な表示範囲として管理されている前記所定事項表示範囲を除く他の表示範囲に対して前記駆動電力の供給を遮断する様に指示する電子機器。
【請求項９】
請求項４又は５に記載の電子機器であって、
前記表示部に表示されている表示範囲のうち前記入力操作の検出可能な表示範囲に対する当該入力操作の検出頻度を監視する検出頻度監視部と、を更に備え、
前記駆動電力供給制御部は、前記検出頻度監視部により前記入力操作の検出頻度が所定量以上であると判定された場合に、前記入力操作の検出可能な表示範囲のうち当該所定量以上の入力操作が行われた表示範囲に、前記駆動電力を前記タッチパネルに供給する様に指示する電子機器。
【請求項１０】
表示を行う表示部と、当該表示部に対する入力操作を検出するタッチパネルとを備える電子機器の電源制御方法であって、
レイアウト管理制御部が、前記表示部の表示範囲を、前記入力操作を検出可能な表示範囲と、前記入力操作を検出不可能な表示範囲として管理するステップと、
駆動電力供給制御部が、前記レイアウト管理制御部により前記表示部の表示範囲のうち前記入力操作の検出可能な表示範囲として管理されている表示範囲に対して、当該入力操作を検出可能とする駆動電力を前記タッチパネルに供給する様に指示するステップと、
を備える電源制御方法。
【請求項１１】
表示を行う表示部と、当該表示部に対する入力操作を検出するタッチパネルとを備える電子機器に、
前記表示部の表示範囲を、前記入力操作を検出可能な表示範囲と、前記入力操作を検出不可能な表示範囲として管理するステップと、
前記表示部の表示範囲のうち前記入力操作の検出可能な表示範囲として管理されている表示範囲に対して、当該入力操作を検出可能とする駆動電力を前記タッチパネルに供給する様に指示するステップと、
を実現させるための電源制御プログラム。
【発明の詳細な説明】
【技術分野】
【０００１】
本発明は、タッチパネルを介したタッチ入力操作が可能な電子機器、電源制御方法、及び電源制御プログラムに関する。
【背景技術】
【０００２】
近年、携帯電話機又はデジタルスチルカメラ等の電子機器のディスプレイにはタッチパネルが配置されるものが数多く、当該電子機器に対するユーザのタッチ入力操作の便宜性が以前に比べて増している。但し、消費電力の観点から、この様なタッチパネルが配置された電子機器には省電力性が求められている。
【０００３】
例えば、特許文献１には、タッチパネルを２つの領域に分割し、この分割された領域内のタッチセンスを必要としない領域部分への印加電圧を選択的に断つ切換手段を設け、この切換手段の制御により無駄な消費電力を無くすタッチパネルが開示されている。
【０００４】
また、特許文献２には、操作デバイスとしてハードキーとタッチパネルとを備えた電子機器において、タッチパネル及びハードキーがそれぞれユーザによって利用されているか否かを判定し、ユーザに利用されていないと判定した操作デバイスに対する電力供給状態を省電力モードとする電子機器及び省電力制御方法並びにプログラムが開示されている。この特許文献２の電子機器及び省電力制御方法並びにプログラムによれば、操作デバイスとしてタッチパネル及びハードキーを備えた電子機器の消費電力を十分に低減させることができる。
【先行技術文献】
【特許文献】
【０００５】
【特許文献１】実開平５−８７６３６号公報
【特許文献２】特開２００９−２１１４５１号公報
【発明の概要】
【発明が解決しようとする課題】
【０００６】
しかしながら、特許文献１では、電子機器に搭載されるタッチパネルへの電力供給を、上下方向に２分割したデバイスごとに切り替えることしかできない。このため、結果的に、タッチパネルを部分的且つ局所的な位置にタッチするという様なユーザのタッチ入力操作に対しては、当該部分的且つ局所的な位置を除く他のタッチパネルの範囲に対して過剰な電力が供給されていた。また、特許文献２では、電子機器に搭載されるタッチパネルの電力供給を、予め定義したアプリケーションごとに切り替えることしかできない。通常、アプリケーションにおいては、当該アプリケーションの中では画面においてタッチされる位置又は範囲は決められていることが多い。このため、当該アプリケーションの中でユーザがタッチする可能性の高い位置を除く他のタッチパネルの範囲に対して過剰な電力が供給されていた。
【０００７】
本発明は、前述の従来の事情に鑑みてなされたもので、タッチパネルへのタッチ入力操作が行われる位置又は範囲に対して当該タッチ入力操作を検出可能とするための駆動電力を効果的に供給し、当該駆動電力を効率的に低減する電子機器、電源制御方法及びプログラムを提供することを目的とする。
【課題を解決するための手段】
【０００８】
本発明は、前述した電子機器であって、表示を行う表示部と、表示部の上面に配置され、当該表示部に対する入力操作を検出するタッチパネルと、表示部の表示範囲を、入力操作を検出可能な表示範囲と、入力操作を検出不可能な表示範囲として管理するレイアウト管理制御部と、レイアウト管理制御部により表示部の表示範囲のうち入力操作の検出可能な表示範囲として管理されている表示範囲に対して、当該入力操作を検出可能とする駆動電力をタッチパネルに供給する様に指示する駆動電力供給制御部とを備える。
【０００９】
また、本発明は、表示を行う表示部と、当該表示部に対する入力操作を検出するタッチパネルとを備える電子機器の電源制御方法であって、レイアウト管理制御部が、表示部の表示範囲を、入力操作を検出可能な表示範囲と、入力操作を検出不可能な表示範囲として管理するステップと、駆動電力供給制御部が、レイアウト管理制御部により表示部の表示範囲のうち入力操作の検出可能な表示範囲として管理されている表示範囲に対して、当該入力操作を検出可能とする駆動電力をタッチパネルに供給する様に指示するステップとを備える。
【００１０】
また、本発明は、前述した電源制御プログラムであって、表示を行う表示部と、当該表示部に対する入力操作を検出するタッチパネルとを備える電子機器に、表示部の表示範囲を、入力操作を検出可能な表示範囲と、入力操作を検出不可能な表示範囲として管理するステップと、表示部の表示範囲のうち入力操作の検出可能な表示範囲として管理されている表示範囲に対して、当該入力操作を検出可能とする駆動電力をタッチパネルに供給する様に指示するステップとを実現させる。
【００１１】
前述した構成によれば、タッチパネルへの入力操作が行われる位置又は範囲に対して当該タッチ入力操作を検出可能とするための駆動電力を効果的に供給し、当該駆動電力を効率的に低減することができる。
【発明の効果】
【００１２】
本発明に係る電子機器、電源制御方法、及び電源制御プログラムによれば、タッチパネルへの入力操作が行われる位置又は範囲に対して当該タッチ入力操作を検出可能とするための駆動電力を効果的に供給し、当該駆動電力を効率的に低減することができる。
【図面の簡単な説明】
【００１３】
【図１】第１の実施形態の携帯電話機のハードウェア構成の一例を示すブロック図
【図２】第１の実施形態の携帯電話機の制御部の内部構成を示すブロック図
【図３】所定のレイアウトに基づいて生成された画面とレイアウト構成情報とを示す説明図、（ａ）メニューレイアウトに基づくメニュー画面、（ｂ）視聴レイアウトに基づくワンセグ視聴画面、（ｃ）ポップアップレイアウトに基づくポップアップ画面、（ｄ）各画面に対するレイアウト構成情報の説明図
【図４】レイアウト管理情報をテーブル形式で示した説明図
【図５】所定のレイアウトに基づいて生成された画面とレイアウト構成情報とを示す説明図、（ａ）メニューレイアウトに基づくメニュー画面、（ｂ）リストレイアウトに基づくワンセグメニュー画面、（ｃ）視聴レイアウトに基づくワンセグ視聴画面、（ｄ）リストレイアウトに基づくワンセグメニュー画面、（ｅ）各画面に対するレイアウト構成情報の説明図、（ｆ）リストレイアウトに基づく動画一覧画面、（ｇ）視聴レイアウトに基づく動画再生画面、（ｈ）リストレイアウトに基づく動画一覧画面、（ｉ）各画面に対するレイアウト構成情報の説明図
【図６】ポップアップレイアウトに基づくポップアップ画面の表示位置の移動に伴ってポップアップレイアウトの有効範囲が変更する場合の説明図、（ａ）ポップアップ画面の表示位置の移動前の様子を示す説明図、（ｂ）ポップアップ画面の表示位置の移動後の様子を示す説明図
【図７】第１の実施形態の携帯電話機の制御部の動作を説明するフローチャート
【発明を実施するための形態】
【００１４】
以下、本発明の実施形態について、図面を参照して説明する。以下の実施形態においては、本発明の電子機器の一例として携帯電話機を例に挙げて説明する。但し、本発明の電子機器は、携帯電話機に限定されず、例えばデジタルスチルカメラ、ＰＤＡ（Personal Digital Assistant）等でも良い。なお、本発明は、携帯電話機の様な装置、又は当該装置であるコンピュータを動作させるためのプログラムとして表現することが可能であり、更に、携帯電話機により実行されるステップを含む方法として表現することも可能である。即ち、本発明は、装置、方法及びプログラムのうちいずれのカテゴリーでも表現可能である。
【００１５】
以下、本発明の実施形態において、ユーザの指又はスタイラスペン等によるタッチパネルへの入力操作を単に「タッチ入力操作」と記載する。また、「レイアウト」とは、表示部に表示される画面を構成すると共に、タッチパネルへのユーザのタッチ入力操作を検出可能な表示範囲、タッチパネルへのユーザのタッチ入力操作を検出不可能な表示範囲、又は当該タッチ入力操作を検出可能な表示範囲と当該タッチ入力操作を検出不可能な表示範囲とのいずれかの表示範囲を有する画面構成部品であると定義する。更に、ユーザのタッチ入力操作を検出可能とするためにタッチパネルに供給される駆動電力を単に「駆動電力」と記載する。
【００１６】
（第１の実施形態）
１．第１の実施形態の携帯電話機の構成
図１は、第１の実施形態の携帯電話機１のハードウェア構成の一例を示すブロック図である。図１に示す様に、携帯電話機１は、操作部１１と、ＤＴＶ（Digital Television）アンテナ１２と、ＤＴＶチューナ１３と、電源部１４と、バッテリ１５と、制御部１６と、ＲＡＭ（Random Access Memory）１７ａと、フラッシュメモリ１７ｂと、タッチパネル制御部１８ａと、タッチパネル１８ｂと、表示制御部１９ａと、表示部１９ｂとを備える。
【００１７】
操作部１１は、ユーザの入力操作を検出する共に、当該検出された入力操作に対応した入力操作信号を制御部１６に出力する。操作部１１は、例えば、電話番号等を入力するテンキー、オンフック又はオフフックを行う通話キー、及びファンクションキー等の各種キーを有する。また、操作部１１は、表示部１９ｂの上面に配置され、ユーザの指又はスタイラスペン等による入力操作を検出可能なタッチパネル１８ｂ等で構成されても良い。
【００１８】
ＤＴＶチューナ１３は、地上デジタルテレビジョン放送の受信を行う。以下、地上デジタルテレビジョン放送を単に「ワンセグ」と記載する。ＤＴＶチューナ１３は、操作部１１により選局操作が行われた場合、ＤＴＶアンテナ１２により受信されたワンセグ信号から選局されたチャンネルに対応するワンセグ信号を抽出する。また、ＤＴＶチューナ１３は、この抽出されたワンセグ信号に対してデジタル復調等の処理を行って復調信号を生成する。ＤＴＶチューナ１３は、この生成された復調信号を、映像放送の復調信号とデータ放送の復調信号とに分離して制御部１６へ出力する。制御部１６は、映像放送の復調信号に対してＭＰＥＧ（Moving Picture Experts Group）方式に基づいた復号処理を行って映像信号を形成する。また、制御部１６は、データ放送の復調信号に対して復号処理を行ってテキストデータを形成する。この様にして制御部１６により形成された映像信号及びテキストデータは、表示制御部１９ａにより表示部１９ｂに表示される。
【００１９】
電源部１４は、ＩＣ（Integrated Circuit）等で構成され、電源としてのバッテリ１５から複数種類の電圧を生成し、当該生成された電圧を携帯電話機１の各部に供給する電源回路として機能する。また、電源部１４は、制御部１６により出力された駆動電力供給制御信号（後述参照）に基づいて、バッテリ１５から当該駆動電力供給制御信号に対応する電圧を生成し、当該タッチパネル制御部１８ａに対して当該生成された電圧をタッチパネル１８ｂの所定箇所に供給させる。なお、この駆動電力供給制御信号には、タッチ入力操作を検出可能とするタッチパネル１８ｂの全体又は一部の駆動電力供給範囲を示す有効範囲ＥＦの位置に関する情報が含まれていることが好ましい。この有効範囲ＥＦに関する説明は図３及び図４を参照して後述する。
【００２０】
制御部１６は、携帯電話機１に内蔵されるＣＰＵ（Central Processing Unit）、ＤＳＰ（Digital Signal Processor）及びＲＯＭ（Read On Memory）等で構成され、携帯電話機１の各部の動作を制御する。制御部１６は、図２を参照して後述する様に、アプリケーション管理制御部１６ａと、レイアウト管理制御部１６ｂと、レイアウト構成情報取得部１６ｃと、レイアウト管理情報取得部１６ｄと、駆動電力供給制御部１６ｅとを備える。
【００２１】
ＲＡＭ１７ａは、制御部１６から直接的にアクセス可能な記憶装置であり、当該制御部１６の動作におけるワークメモリに利用される。また、ＲＡＭ１７ａには、現在携帯電話機１の表示部１９ｂに表示されている表示画面のうち、当該表示画面を構成するために使用されている単一又は複数のレイアウトにおける表示の階層関係を示すレイアウト構成情報ＲＣが一時的に記憶されている。例えばユーザのタッチ入力操作に応じて、アプリケーションが起動した場合、当該アプリケーションにおいて特定のメニュー画面が表示された場合、又は当該メニューの内容が実行された場合等に、制御部１６のアプリケーション管理制御部１６ａによりそれぞれの場合に対応して表示される画面のレイアウトが最上位の階層に位置するレイアウトとされる。このレイアウトの使用に応じた階層関係を示すレイアウト構成情報ＲＣがＲＡＭ１７ａに記憶される。このレイアウト構成情報ＲＣの具体例について図３を参照して説明する。
【００２２】
図３は、所定のレイアウトに基づいて生成された画面とレイアウト構成情報ＲＣとを示す説明図である。同図（ａ）は、メニューレイアウトＭＬに基づくメニュー画面である。同図（ｂ）は、視聴レイアウトＷＬに基づくワンセグ視聴画面である。同図（ｃ）は、ポップアップレイアウトＰＬに基づくポップアップ画面である。同図（ｄ）は、各画面に対するレイアウト構成情報ＲＣの説明図である。以下、図３の説明においては、レイアウトの表示の階層の第１層には携帯電話機１の待ち受け画面に対応するレイアウトが使用されているものとする。
【００２３】
図３（ａ）は、複数のメニューボタン（メール、ワンセグ、ツール、ブラウザ、動画、ピクチャ）を含むメニューレイアウトＭＬに基づいて生成されたメニュー画面である。図３（ｄ）のレイアウト構成情報ＲＣに示す様に、待ち受け画面のレイアウトが第１層に使用されている状態で、最上位の階層である第２層にメニューレイアウトＭＬに基づくメニュー画面が表示された場合には、図３（ａ）の点線で囲われた有効範囲ＥＦに対応するタッチパネル１８ｂの位置又は範囲に対して駆動電力が供給される。これにより、携帯電話機１は、有効範囲ＥＦに対応するタッチパネル１８ｂへのタッチ入力操作を検出することができる。なお、この有効範囲ＥＦは、レイアウトごとに予め設定されているものとする（図４参照）。
【００２４】
図３（ｂ）は、ワンセグを視聴するための専用画面である視聴レイアウトＷＬに基づいて生成されたワンセグ視聴画面である。なお、この視聴レイアウトＷＬは、視聴内容が表示される視聴内容表示範囲と、所定の操作項目が表示される操作項目内容表示範囲とを含む様に構成されている。図３（ｄ）のレイアウト構成情報ＲＣに示す様に、最上位の階層である第３層に視聴レイアウトＷＬに基づくワンセグ視聴画面が表示された場合には、図３（ｂ）の点線で囲われた有効範囲ＥＦに対応するタッチパネル１８ｂの位置又は範囲に対して駆動電力が供給される。これにより、携帯電話機１は、有効範囲ＥＦに対応するタッチパネル１８ｂへのタッチ入力操作を検出することができる。
【００２５】
図３（ａ）に示すメニューレイアウトＭＬの有効範囲ＥＦは当該メニューレイアウトＭＬのほぼ全範囲であるのに対し、図３（ｂ）に示す視聴レイアウトＷＬの有効範囲ＥＦは当該視聴レイアウトＷＬの一部の範囲である。つまり、最上位のレイアウトとしてメニューレイアウトＭＬに基づくメニュー画面が表示部１９ｂに表示された場合には、当該メニューレイアウトＭＬのほぼ全範囲に対してユーザの入力操作が行われる可能性が高い。このため、当該ほぼ全範囲に対する入力操作を検出可能とするために、有効範囲ＥＦが当該メニューレイアウトＭＬのほぼ全範囲に対して設定されている。しかしながら、最上位のレイアウトとして視聴レイアウトＷＬが表示部１９ｂに表示された場合には、当該視聴レイアウトＷＬの一部の範囲のみ（例えば、再生、一時停止、又は早送り等の操作ボタン等）に対してユーザのタッチ入力操作が行われる可能性が高い。このため、当該一部の範囲のみに対するタッチ入力操作を検出可能とするために、有効範囲ＥＦが当該視聴レイアウトＷＬの一部の範囲のみに対して設定されている。
【００２６】
図３（ｃ）は、所定事項を表示するための所定事項表示範囲を含むポップアップレイアウトＰＬであり、例えば視聴レイアウトＷＬが最上位のレイアウトとして表示部１９ｂに表示されている場合にユーザに優先して通知する内容を割込み的に表示する画面のレイアウトである。図３（ｄ）のレイアウト構成情報ＲＣに示す様に、最上位の階層である第４層にポップアップレイアウトＰＬに基づくポップアップ画面が表示された場合には、図３（ｃ）の点線で囲われた有効範囲ＥＦに対応するタッチパネル１８ｂの位置又は範囲に対して駆動電力が供給される。これにより、携帯電話機１は、有効範囲ＥＦに対するタッチパネル１８ｂへのタッチ入力操作を検出することができる。
【００２７】
最上位のレイアウトとしてポップアップレイアウトＰＬに基づくポップアップ画面が表示部１９ｂに表示された場合には、当該ポップアップレイアウトＰＬのほぼ全範囲に対してユーザの入力操作が行われる可能性が高い。このため、当該ほぼ全範囲に対するタッチ入力操作を検出可能とするために、有効範囲ＥＦが当該ポップアップレイアウトＰＬに対して設定されている。また、ポップアップレイアウトＰＬの有効範囲ＥＦは、図３（ｃ）に示すポプアップ画面の一部の範囲（例：ＯＫボタン等）でも良い。
【００２８】
また、ＲＡＭ１７ａには、タッチパネル１８ｂの使用可否に関するタッチパネルロック情報が一時的に記憶されている。このタッチパネルロック情報により、タッチパネル１８ｂへのタッチ入力操作が行われた場合に、当該タッチ入力操作に対応した入力操作信号が操作部１１から出力されるか否かが区別可能である。例えばタッチパネルロック情報が「１」である場合には、タッチパネル１８ｂへのタッチ入力操作は無効であり、タッチ入力操作に対応した入力操作信号は操作部１１から出力されない。また、例えばタッチパネルロック情報が「０」である場合には、タッチパネル１８ｂへのタッチ入力操作は有効であり、タッチ入力操作に対応した入力操作信号は操作部１１から出力される。
【００２９】
フラッシュメモリ１７ｂは、データの読み書きが自由で不揮発性を有する記憶装置であり、制御部１６により実行される各種のプログラム、及び当該プログラムで利用される種々のデータを記憶する。フラッシュメモリ１７ｂは、制御部１６の各部（図２参照）の動作が予め規定されたプログラムをそれぞれ記憶している。また、フラッシュメモリ１７ｂには、レイアウト管理情報ＲＴ（図４参照）が記憶されている。
【００３０】
なお、後述する制御部１６の各部（図２参照）は、ハードウェア又はソフトウェアで構成することが可能である。特に、これらの各部がソフトウェアにより構成される際には、当該制御部１６の各部（図２参照）の動作が予め規定されたプログラムが携帯電話機１に内蔵されているＣＰＵより読み込まれることにより当該各部が動作可能となる。
【００３１】
ここで、上述したレイアウト管理情報ＲＴに関して、図４を参照して説明する。図４は、レイアウト管理情報ＲＴをテーブル形式で示した説明図である。レイアウト管理情報ＲＴは、レイアウトの識別子であるレイアウトＩＤと、レイアウトの名称と、当該レイアウトに基づいて生成された画面に対するタッチパネル１８ｂへの入力操作の検出可否を示すタッチパネル検出属性情報と、レイアウトの有効範囲ＥＦを示す有効範囲情報とが関連付けされたものである。なお、レイアウト管理情報ＲＴは、当該レイアウトのレイアウト構成情報ＲＣにおける階層位置を示す階層情報を更に含んでも良い。ここで、有効範囲ＥＦにおける原点｛（Ｘ、Ｙ）＝（０、０）｝は、例えば図３（ａ）に示す画面の左側最上部の位置であるとする。なお、Ｘ方向は当該原点を通過する水平方向を指し、Ｙ方向は当該原点を通過して当該Ｘ方向に直交する方向を指す。
【００３２】
例えば図４に示したメニューレイアウトＭＬのレイアウト管理情報ＲＴは、タッチパネル検出属性情報が有効であって、有効範囲ＥＦは上述した原点を起点としてＸ方向の水平右側に幅５５０［ピクセル］であり、Ｙ方向の鉛直下側に高さ１５００［ピクセル］である。但し、Ｘ方向の水平右側が正の方向、Ｙ方向の鉛直下側が正の方向であるとし、有効範囲の幅及び高さの単位はピクセルに限定されず、例えばミリメートルでも良い。視聴レイアウトＷＬ、ポップアップレイアウトＰＬ、及びリストレイアウトＬＬについても同様である。なお、警告レイアウトのレイアウト管理情報ＲＴに関しては、タッチパネル検出属性情報が無効である。このため、最上位のレイアウトとして警告レイアウトに基づく警告画面が表示部１９ｂに表示されている場合には、当該警告レイアウトに対する有効範囲ＥＦは設定されていないため、タッチパネル１８ｂに対する入力操作を検出することはできない。
【００３３】
タッチパネル制御部１８ａは、当該タッチパネル制御部１８ａに接続されたタッチパネル１８ｂを制御する回路として機能する。タッチパネル１８ｂは、表示部１９ｂの上面に配置され、ユーザの指又はスタイラスペン等が接触した位置を検出して当該タッチパネル１８ｂ上の位置を特定し、当該特定された位置の情報を制御部１６に出力する。タッチパネル１８ｂへのタッチの検出には、例えば、抵抗膜方式、又は静電気による電気信号を検出する静電容量結合式が採用可能であるが、特に静電容量結合方式に限定されず、抵抗膜方式、赤外線を用いた光学式等が採用されても良い。
【００３４】
また、タッチパネル制御部１８ａは、制御部１６により出力された駆動電力供給制御信号を入力すると、当該駆動電力供給制御信号に含まれる駆動電力供給範囲に関する情報に基づいて、電源部１４により供給された電力を当該駆動電力供給範囲に供給し、当該駆動電力供給範囲に対するユーザのタッチ入力操作を検出可能な状態にタッチパネル１８ｂを制御する。例えば、タッチパネル１８ｂがマトリクス・スイッチ方式で構成されている場合には、当該タッチパネルに予めＸ方向及びＹ方向に複数の走査線が設けられている。タッチパネル制御部１８ａは、制御部１６により出力された駆動電力供給制御信号に含まれる駆動電力供給範囲に関する情報に基づいて、駆動電力供給範囲の枠に対応する走査線を電極として駆動電圧を印加することにより、当該駆動電力供給範囲に対応するタッチパネル１８ｂへのタッチ入力操作のみを検出可能にさせる。
【００３５】
表示制御部１９ａは、制御部１６により出力された指示に応じて、文字、画像、映像及び画面等を表示部１９ｂに表示させる様に当該表示部１９ｂを制御する。表示部１９ｂは、例えば携帯電話機１のＬＣＤ（Liquid Crystal Display）により構成される。
【００３６】
次に、制御部１６について図２を参照して説明する。図２は、第１の実施形態の携帯電話機１の制御部１６の内部構成を示すブロック図である。前述した様に、制御部１６は、アプリケーション管理制御部１６ａと、レイアウト管理制御部１６ｂと、レイアウト構成情報取得部１６ｃと、レイアウト管理情報取得部１６ｄと、駆動電力供給制御部１６ｅとを有する。
【００３７】
アプリケーション管理制御部１６ａは、携帯電話機１において現在動作している単一又は複数のアプリケーション及びレイアウトに関する情報を管理している。アプリケーションに関する情報は、例えば現在携帯電話機１においてワンセグが視聴されている場合には、当該ワンセグを視聴させるアプリケーションのＩＤ、及び当該アプリケーションの動作状況並びに使用継続時間等である。レイアウトに関する情報は、例えばユーザの入力操作に応じて、アプリケーションが起動した場合、当該アプリケーションにおいて特定のメニュー画面が表示される場合、又は当該メニューの内容が実行される場合等に、当該それぞれ対応して表示される画面のレイアウトのＩＤ、複数の画面が重なって表示されている場合における当該画面のレイアウトの階層関係を示す情報、及び当該レイアウトの動作状況並びに使用継続時間等である。アプリケーション管理制御部１６ａは、アプリケーション及びレイアウトに関する情報をＲＡＭ１７ａに一時的に記憶する。
【００３８】
また、アプリケーション管理制御部１６ａは、操作部１１により出力された入力操作信号に応じて、当該入力操作信号に対応する現在使用中のアプリケーションにおける動作を実行する。例えば、表示部１９ｂに表示されている画面のレイアウトがユーザの入力操作に応じて変更された場合には、アプリケーション管理制御部１６ａは、当該画面のレイアウトの変更に関するイベントが入力された旨の情報及び当該変更後のレイアウトのレイアウトＩＤ等のレイアウトの識別情報をレイアウト管理制御部１６ｂに出力すると共にＲＡＭ１７ａに一時的に記憶する。
【００３９】
レイアウト管理制御部１６ｂは、表示部１９ｂに表示されている画面の表示範囲を、タッチ入力操作を検出可能な表示範囲と、当該タッチ入力操作を検出不可能な表示範囲とからなるものとしてそれぞれの表示範囲に関する情報を管理する。当該それぞれの表示範囲に関する情報には、当該表示範囲の座標等が含まれる。レイアウト管理制御部１６ｂは、アプリケーション管理制御部１６ａにより出力された各情報を取得し、当該レイアウトの変更に関するイベントが入力された旨の情報に基づいて、レイアウト構成情報ＲＣを取得する旨の命令情報をレイアウト構成情報取得部１６ｃに出力する。また、レイアウト管理制御部１６ｂは、アプリケーション管理制御部１６ａにより出力された各情報に基づいて、当該変更後のレイアウトのレイアウト管理情報ＲＴを取得する旨の命令情報をレイアウト管理情報取得部１６ｄに出力する。
【００４０】
また、レイアウト管理制御部１６ｂは、レイアウト構成情報取得部１６ｃにより出力されたレイアウト構成情報ＲＣを参照し、当該変更後のレイアウトを最上位のレイアウトとして、当該最上位のレイアウトのレイアウト管理情報ＲＴのタッチパネル検出属性情報及び有効範囲情報を認知する。更に、レイアウト管理制御部１６ｂは、当該認知されたタッチパネル検出属性情報が「有効」である場合に、当該レイアウト管理情報ＲＴの有効範囲情報に基づいて、当該有効範囲ＥＦに対応するタッチパネル１８ｂの範囲に駆動電力を供給する旨の情報を駆動電力供給制御部１６ｅに出力する。
【００４１】
なお、レイアウト管理制御部１６ｂは、常時又は所定の周期でＲＡＭ１７ａを参照することによりタッチパネルロック情報を取得している。この取得されたタッチパネルロック情報が「１」である場合には、前述した様に、ユーザのタッチ入力操作が無効であり、タッチパネル１８ｂへのタッチ入力操作に対応した入力操作信号が操作部１１から出力されない。一方、タッチパネルロック情報が「０」である場合には、前述した様に、ユーザのタッチ入力操作が有効であり、タッチパネル１８ｂへのタッチ入力操作に対応した入力操作信号が操作部１１から出力される。従って、レイアウト管理制御部１６ｂは、タッチパネルロック情報が「０」である場合に、当該認知されたレイアウト管理情報ＲＴの有効範囲情報に基づいて、当該有効範囲ＥＦに対応するタッチパネル１８ｂの範囲に駆動電力を供給する旨の情報を駆動電力供給制御部１６ｅに出力する。
【００４２】
また、レイアウト管理制御部１６ｂは、レイアウト管理情報取得部１６ｄにより出力された変更後のレイアウトのレイアウト管理情報ＲＴのタッチパネル検出属性が「無効」であると認知した場合、当該変更後のレイアウトが表示部１９ｂに表示されている間、タッチパネルロック情報を「１」に設定しても良い。これにより、当該変更後のレイアウトが表示部１９ｂに表示されている間は、当該変更後のレイアウトに基づく画面へのタッチ入力操作を無効とすることができる。
【００４３】
レイアウト構成情報取得部１６ｃは、レイアウト管理制御部１６ｂにより出力された命令情報を取得し、当該取得された命令情報に基づいて、現在の携帯電話機１におけるレイアウト構成情報ＲＣをＲＡＭ１７ａから取得する。レイアウト構成情報取得部１６ｃは、当該取得されたレイアウト構成情報ＲＣをレイアウト管理制御部１６ｂに出力する。
【００４４】
レイアウト管理情報取得部１６ｄは、レイアウト管理制御部１６ｂにより出力された命令情報を取得し、当該取得された命令情報に基づいて、当該変更後のレイアウトのレイアウト管理情報ＲＴをフラッシュメモリ１７ｂから取得する。レイアウト管理情報取得部１６ｄは、当該変更後のレイアウトのレイアウト管理情報ＲＴをレイアウト管理制御部１６ｂに出力する。
【００４５】
駆動電力供給制御部１６ｅは、レイアウト管理制御部１６ｂにより出力された情報を取得し、当該取得された情報に基づいて、当該変更後のレイアウトのレイアウト管理情報ＲＴの有効範囲情報の有効範囲ＥＦに対応するタッチパネル１８ｂの範囲に駆動電力を供給するための駆動電力供給制御信号を電源部１４に出力する。
【００４６】
また、駆動電力供給制御部１６ｅは、タッチパネル１８ｂへのタッチ入力操作を検出する表示範囲のうち、当該タッチ入力操作を検出可能な表示範囲が当該タッチ入力操作を検出不可能な表示範囲に変更された場合に、当該変更された表示範囲に対して、駆動電力の供給を遮断する旨の駆動電力供給制御信号を電源部１４に出力する。この駆動電力供給制御部１６ｅの動作の具体例については、図５を参照して後述する。
【００４７】
２．第１の実施形態の携帯電話機の動作概要
第１の実施形態の携帯電話機１の動作概要について、図５及び図６を参照して説明する。図５は、所定のレイアウトに基づいて生成された画面と各レイアウトのレイアウト構成情報とを示す説明図である。同図（ａ）は、メニューレイアウトＭＬに基づくメニュー画面図である。同図（ｂ）は、リストレイアウトＬＬに基づくワンセグメニュー画面図である。同図（ｃ）は、視聴レイアウトＷＬに基づくワンセグ視聴画面図である。同図（ｄ）は、リストレイアウトＬＬに基づくワンセグメニュー画面図である。同図（ｅ）は、各画面に対するレイアウト構成情報の説明図である。同図（ｆ）は、リストレイアウトＬＬに基づく動画一覧画面図である。同図（ｇ）は、視聴レイアウトＷＬに基づく動画再生画面図である。同図（ｈ）は、リストレイアウトＬＬに基づく動画一覧画面図である。同図（ｉ）は、各画面に対するレイアウト構成情報ＲＣの説明図である。図６は、ポップアップレイアウトＰＬに基づくポップアップ画面の表示位置の移動に伴ってポップアップレイアウトＰＬの有効範囲が変更する場合の説明図である。同図（ａ）は、ポップアップ画面の表示位置の移動前の様子を示す説明図である。同図（ｂ）は、ポップアップ画面の表示位置の移動後を示す説明図である。以下、図５の説明においては、レイアウトの表示の階層の第１層には携帯電話機１の待ち受け画面に対応するレイアウトが使用されているものとする。
【００４８】
図５（ａ）では、複数のメニューボタン（メール、ワンセグ、ツール、ブラウザ、動画、ピクチャ）を含むメニューレイアウトＭＬに基づいて生成されたメニュー画面である。図５（ｅ）のレイアウト構成情報ＲＣに示す様に、待ち受け画面のレイアウトが第１層に使用されている状態で、当該第１層の上位に位置する第２層にメニューレイアウトＭＬが最上位のレイアウトとして位置する様に使用されている。また、図５（ａ）に示すメニューレイアウトＭＬのレイアウト管理情報ＲＴによれば、有効範囲ＥＦは図５（ａ）の点線で囲われた範囲である。これにより、携帯電話機１は、図５（ａ）に示す有効範囲ＥＦに囲われた範囲へのタッチ入力操作を検出することができる。
【００４９】
図５（ｂ）では、図５（ａ）のメニュー画面に対するユーザのタッチ入力操作に応じて、複数のリストボタン（視聴、録画、設定）を含むリストレイアウトＬＬに基づいて生成されたワンセグメニュー画面である。図５（ｅ）に示すレイアウト構成情報ＲＣに示す様に、メニューレイアウトＭＬが第２層に使用されている状態で、当該第２層の上位に位置する第３層にリストレイアウトＬＬが最上位のレイアウトとして位置する様に使用されている。また、図５（ｂ）に示すリストレイアウトＬＬのレイアウト管理情報ＲＴによれば、有効範囲ＥＦは、図５（ａ）と同様に図５（ｂ）の点線で囲われた範囲である。これにより、携帯電話機１は、図５（ａ）と同様に図５（ｂ）に示す有効範囲ＥＦに囲われた範囲に対するタッチ入力操作を検出することができる。
【００５０】
図５（ｃ）では、図５（ｂ）のワンセグメニュー画面に対するユーザのタッチ入力操作に応じて、ワンセグを視聴可能且つ所定の操作が可能に構成された視聴レイアウトＷＬに基づいて生成されたワンセグ視聴画面である。図５（ｅ）に示すレイアウト構成情報ＲＣに示す様に、リストレイアウトＬＬが第３層に使用されている状態で、当該第３層の上位に位置する第４層に視聴レイアウトＷＬが最上位のレイアウトとして位置する様に使用されている。また、図５（ｃ）に示す視聴レイアウトＷＬのレイアウト管理情報ＲＴによれば、有効範囲ＥＦは、図５（ｃ）の点線で囲われた範囲であって、図５（ａ）及び図５（ｂ）に比べて狭い範囲である。このため、図５（ａ）及び図５（ｂ）の各有効範囲ＥＦで囲われた表示範囲と同じ範囲であって且つ図５（ｃ）の視聴レイアウトＷＬの有効範囲ＥＦを除く他の表示範囲へのタッチ入力操作は、図５（ｃ）の視聴レイアウトＷＬにおいては検出することができない。
【００５１】
図５（ｄ）では、図５（ｃ）のワンセグ視聴画面に対するユーザのタッチ入力操作に応じて、図５（ｂ）と同様のリストレイアウトＬＬに基づいて生成されたワンセグメニュー画面である。図５（ｅ）に示すレイアウト構成情報ＲＣに示す様に、視聴レイアウトＷＬが第４層に使用されている状態で、当該第４層の下位に位置する第３層にリストレイアウトＬＬが最上位のレイアウトとして位置する様に使用されている。また、図５（ｄ）に示すリストレイアウトＬＬのレイアウト管理情報ＲＴによれば、有効範囲ＥＦは、図５（ａ）及び（ｂ）と同様に図５（ｄ）の点線で囲われた範囲である。これにより、携帯電話機１は、図５（ａ）及び（ｂ）と同様に図５（ｄ）に示す有効範囲ＥＦに囲われた範囲に対するタッチ入力操作を検出することができる。
【００５２】
図５（ｆ）では、図５（ａ）のメニュー画面に対するユーザのタッチ入力操作に応じて、メニュー複数のリストボタン（動画１、動画２、動画３、動画４、動画５、動画６）を含むリストレイアウトＬＬに基づいて生成された動画一覧画面である。図５（ｉ）に示すレイアウト構成情報ＲＣに示す様に、メニューレイアウトＭＬが第２層に使用されている状態で、当該第２層の上位に位置する第３層にリストレイアウトＬＬが最上位のレイアウトとして位置する様に使用されている。また、図５（ｆ）に示すリストレイアウトＬＬのレイアウト管理情報ＲＴによれば、有効範囲ＥＦは、図５（ａ）と同様に図５（ｆ）の点線で囲われた範囲である。これにより、携帯電話機１は、図５（ａ）と同様に図５（ｆ）に示す有効範囲ＥＦに囲われた範囲に対するタッチ入力操作を検出することができる。
【００５３】
図５（ｇ）では、図５（ｆ）のワンセグメニュー画面に対するユーザのタッチ入力操作に応じて、動画を視聴可能且つ所定の操作が可能に構成された視聴レイアウトＷＬに基づいて生成された動画再生画面である。図５（ｉ）に示すレイアウト構成情報ＲＣに示す様に、リストレイアウトＬＬが第３層に使用されている状態で、当該第３層の上位に位置する第４層に視聴レイアウトＷＬが最上位のレイアウトとして位置する様に使用されている。また、図５（ｇ）に示す視聴レイアウトＷＬのレイアウト管理情報ＲＴによれば、有効範囲ＥＦは、図５（ｇ）の点線で囲われた範囲であって、図５（ａ）及び図５（ｆ）に比べて狭い範囲である。このため、図５（ａ）及び図５（ｆ）の各有効範囲ＥＦで囲われた表示範囲と同じ範囲であって且つ図５（ｇ）の視聴レイアウトＷＬの有効範囲ＥＦを除く他の表示範囲に対するタッチ入力操作は、図５（ｇ）の視聴レイアウトＷＬにおいては検出することができない。
【００５４】
図５（ｈ）では、図５（ｇ）のワンセグ視聴画面に対するユーザのタッチ入力操作に応じて、図５（ｆ）と同様のリストレイアウトＬＬに基づいて生成されたワンセグメニュー画面である。図５（ｉ）に示すレイアウト構成情報ＲＣに示す様に、視聴レイアウトＷＬが第４層に使用されている状態で、当該第４層の下位に位置する第３層にリストレイアウトＬＬが最上位のレイアウトとして位置する様に使用されている。また、図５（ｈ）に示すリストレイアウトＬＬのレイアウト管理情報ＲＴによれば、有効範囲ＥＦは、図５（ａ）及び（ｆ）と同様に図５（ｈ）の点線で囲われた範囲である。これにより、携帯電話機１は、図５（ａ）及び（ｆ）と同様に図５（ｈ）に示す有効範囲ＥＦに囲われた範囲に対するタッチ入力操作を検出することができる。
【００５５】
また、図６（ａ）では、最上位の階層として使用されたポップアップレイアウトＰＬに基づいて生成されたポップアップ画面が表示部１９ｂに表示され、このポップアップレイアウトＰＬの有効範囲ＥＦ１は図６（ａ）の点線で囲われた範囲である。図６（ｂ）に示す様に、図６（ａ）のポップアップ画面がユーザのタッチ入力操作に応じて所定距離移動した場合には、当該移動した所定距離に応じてポップアップ画面が移動する。このとき、レイアウト管理制御部１６ｂは、ポップアップ画面の移動距離を取得すると共に、当該取得された移動距離に応じて、レイアウト管理情報ＲＴの有効範囲情報を動的に変更する。これにより、図６（ｂ）に示す様に、ポップアップ画面のポップアップレイアウトＰＬの有効範囲は、当該ポップアップ画面の移動に伴って、有効範囲ＥＦ１から有効範囲ＥＦ２に動的に変更される。
【００５６】
３．第１の実施形態の携帯電話機の動作
図７は、第１の実施形態の携帯電話機１の制御部１６の動作を示すフローチャートである。以下の図７に示すフローチャートの説明においては、具体例を説明するために必要に応じて図４〜図６を参照する。
【００５７】
図７において、表示部１９ｂに表示されている画面のレイアウトがユーザのタッチ入力操作に応じて変更された場合には（Ｓ１１、ＹＥＳ）、アプリケーション管理制御部１６ａは、当該画面のレイアウトの変更に関するイベントが入力された旨の情報及び当該変更後のレイアウトに関する情報をレイアウト管理制御部１６ｂに出力すると共にＲＡＭ１７ａに一時的に記憶する。
【００５８】
レイアウト管理制御部１６ｂは、ステップＳ１１においてアプリケーション管理制御部１６ａにより出力された各情報を取得し、当該レイアウトの変更に関するイベントが入力された旨の情報に基づいて、レイアウト構成情報ＲＣを取得する旨の命令情報をレイアウト構成情報取得部１６ｃに出力する。レイアウト構成情報取得部１６ｃは、レイアウト管理制御部１６ｂにより出力された命令情報を取得し、当該取得された命令情報に基づいて、現在の携帯電話機１におけるレイアウト構成情報ＲＣをＲＡＭ１７ａから取得する。レイアウト構成情報取得部１６ｃは、当該取得されたレイアウト構成情報ＲＣをレイアウト管理制御部１６ｂに出力する。レイアウト管理制御部１６ｂは、レイアウト構成情報取得部１６ｃにより出力されたレイアウト構成情報を取得する（Ｓ１２）。
【００５９】
レイアウト管理制御部１６ｂは、ステップＳ１２により取得されたレイアウト管理情報ＲＴのタッチパネル検出属性情報を参照し、当該タッチパネル検出属性が有効であるか否かを判定する（Ｓ１３）。ステップＳ１３において当該レイアウト管理情報ＲＴのタッチパネル検出属性が有効であると判定された場合には（Ｓ１３、ＹＥＳ）、レイアウト管理制御部１６ｂは、当該レイアウト管理情報ＲＴの有効範囲情報を認知する（Ｓ１４）。
【００６０】
例えば、ユーザのタッチ入力操作に応じて、表示部１９ｂに表示されている画面のレイアウトが図５（ｂ）に示すリストレイアウトＬＬから図５（ｃ）に示す視聴レイアウトＷＬに変更された場合、レイアウト管理制御部１６ｂは、当該変更後の視聴レイアウトＷＬのレイアウト管理情報ＲＴを取得する（Ｓ１２）。図４のレイアウト管理情報ＲＴによれば、視聴レイアウトＷＬのレイアウト管理情報ＲＴのタッチパネル検出属性情報は有効である。このため、ステップＳ１３において、レイアウト管理制御部１６ｂは、視聴レイアウトＷＬのレイアウト管理情報ＲＴのタッチパネル検出属性を有効であると判定する（Ｓ１３）。
【００６１】
画面のレイアウトはリストレイアウトＬＬから視聴レイアウトＷＬに変更されているため、図４に示す様に、有効範囲ＥＦを（Ｘ、Ｙ、Ｗ、Ｈ）として表わした場合に、リストレイアウトＬＬの有効範囲ＥＦ（０、０、５５０、１５００）から視聴レイアウトＷＬの有効範囲ＥＦ（０、１０００、４８０、２００）に変更される。ここで、有効範囲ＥＦにおける各パラメータＸ、Ｙ、Ｗ及びＨは、それぞれ有効範囲ＥＦの起点のＸ座標、Ｙ座標、当該有効範囲ＥＦのＸ方向における幅、及び当該有効範囲ＥＦのＹ方向における高さを示す。
【００６２】
従って、レイアウトの変更に伴って、リストレイアウトＬＬにおいては有効範囲ＥＦであった表示部分が視聴レイアウトＷＬにおいては有効範囲ＥＦでなくなる表示部分が存在する。従って、レイアウト管理制御部１６ｂは、当該変更後の視聴レイアウトＷＬにおける有効範囲にのみ駆動電力がタッチパネル１８ｂに供給される旨の情報を駆動電力供給制御部１６ｅに出力する。
【００６３】
また、レイアウト管理制御部１６ｂは、当該レイアウトの変更に伴って、当該変更前には有効範囲ＥＦであった表示位置又は表示範囲が当該変更後に有効範囲ＥＦでなくなる表示位置又は表示範囲に対して駆動電力の供給を遮断する旨の情報を駆動電力供給制御部１６ｅに出力しても良い。この場合、駆動電力供給制御部１６ｅは、レイアウト管理制御部１６ｂにより出力された情報に基づいて、当該変更後に有効範囲ＥＦでなくなる表示位置又は表示範囲に対して駆動電力の供給を遮断する旨の駆動電力供給制御信号を電源部１４に出力する。これにより、携帯電話機１は、ユーザのタッチ入力操作によるレイアウトの変更に伴って、変更前には有効範囲ＥＦであった表示位置又は表示範囲が当該変更後に有効範囲ＥＦでなくなる表示位置又は表示範囲に対して駆動電力の供給を遮断することができる。
【００６４】
ここで、例えば図６（ａ）及び（ｂ）に示した様に、最上位のレイアウトとして使用されているポップアップレイアウトＰＬに基づいて生成されたポップアップ画面がユーザのタッチ入力操作に応じて移動された場合には（Ｓ１５、ＹＥＳ）、レイアウト管理制御部１６ｂは、当該ポップアップ画面の移動距離を取得すると共に、当該取得された移動距離に基づいて、ポップアップ画面の移動に応じたレイアウト管理情報ＲＴの有効範囲情報を動的に変更する（Ｓ１６）。レイアウト管理制御部１６ｂは、当該変更された有効範囲に対応するタッチパネル１８ｂの表示範囲に駆動電力を供給する旨の情報を駆動電力供給制御部１６ｅに指示する。なお、ステップＳ１５において最上位のレイアウトとして使用されているポップアップレイアウトＰＬに基づいて生成されたポップアップ画面がユーザのタッチ入力操作に応じて移動されていない場合には（Ｓ１５、ＮＯ）、ステップＳ１７の動作に進む。
【００６５】
駆動電力供給制御部１６ｅは、レイアウト管理制御部１６ｂにより出力された情報に基づいて、当該移動後のポップアップレイアウトＰＬのレイアウト管理情報ＲＴの有効範囲ＥＦ２に対応するタッチパネル１８ｂの範囲に駆動電力を供給するための駆動電力供給制御信号を電源部１４に出力する。電源部１４は、当該駆動電力供給制御信号に応じて、当該有効範囲ＥＦに対応するタッチパネル１８ｂの範囲に駆動電力をタッチパネル制御部１８ａに供給させる（Ｓ１７）。これにより、携帯電話機１は、当該有効範囲ＥＦに囲われた範囲に対するタッチ入力操作を検出することができる。
【００６６】
ステップＳ１７の後、ステップＳ１１において表示部１９ｂに表示されている表示画面のレイアウトがユーザのタッチ入力操作に応じて変更された場合には（Ｓ１１、ＹＥＳ）、前述した動作が繰り返される。ステップＳ１１において表示部１９ｂに表示されている表示画面のレイアウトがユーザのタッチ入力操作に応じて変更されない場合には（Ｓ１１、ＮＯ）、図７に示す携帯電話機１の制御部１６の動作は終了する。
【００６７】
以上により、第１の実施形態の携帯電話機１によれば、ユーザのタッチ入力操作によって画面のレイアウトが変更した場合に、当該レイアウトのレイアウト管理情報ＲＴの有効範囲情報に応じたタッチパネル１８ｂへの駆動電力を供給する。レイアウト管理情報ＲＴの有効範囲情報は、当該レイアウトに対するタッチ入力操作が行われる可能性が非常に高い範囲が設定されている。これにより、携帯電話機１によれば、タッチパネル１８ｂへの駆動電力を効果的に供給して当該供給されたタッチパネル１８ｂの範囲におけるタッチ入力操作のみ検出することができる。更に、携帯電話機１によれば、駆動電力を効果的に供給することができるため、携帯電話機１における消費電力量を効率的に低減することができる。
【００６８】
以上、添付図面を参照しながら各種の実施形態について説明したが、本発明はかかる例に限定されないことは言うまでもない。当業者であれば、特許請求の範囲に記載された範疇内において、各種実施形態の変更例または修正例、更に各種実施形態の組み合わせ例に想到し得ることは明らかであり、それらについても当然に本発明の技術的範囲に属するものと了解される。
【００６９】
また、携帯電話機１は、表示部１９ｂに表示されている画面の表示範囲のうちユーザのタッチ入力操作を検出可能な画面の表示範囲に対する当該タッチ入力操作の検出頻度を監視する検出頻度監視部を更に備えても良い。この場合、駆動電力供給制御部１６ｅは、検出頻度監視部によりタッチ入力操作の検出頻度が所定量以上であると判定された場合に、当該タッチパネル１８ｂへのタッチ入力操作を検出する部分のうち当該所定量以上のタッチ入力操作が行われた画面の範囲に駆動電力を供給する旨の駆動電力供給制御信号を電源部１４に出力する。これにより、携帯電話機１は、ユーザが頻繁にタッチ入力操作する表示画面の範囲に対するタッチ入力操作を検出することができる。
【産業上の利用可能性】
【００７０】
本発明は、タッチパネルへの入力操作が行われる位置又は範囲に対して当該入力操作を可能とするための駆動電力を効果的に供給し、当該駆動電力を効率的に低減することが可能な電子機器、電源制御方法及び電源制御プログラムとして有用である。
【符号の説明】
【００７１】
１  携帯電話機
１１  操作部
１２  ＤＴＶアンテナ
１３  ＤＴＶチューナ
１４  電源部
１５  バッテリ
１６  制御部
１６ａ  アプリケーション管理制御部
１６ｂ  レイアウト管理制御部
１６ｃ  レイアウト構成情報取得部
１６ｄ  レイアウト管理情報取得部
１６ｅ  駆動電力供給制御部
１７ａ  ＲＡＭ
１７ｂ  フラッシュメモリ
１８ａ  タッチパネル制御部
１８ｂ  タッチパネル
１９ａ  表示制御部
１９ｂ  表示部
２０、２０Ａ、２０Ｂ  内部時計
ＥＦ、ＥＦ１、ＥＦ２  有効範囲
ＬＬ  リストレイアウト
ＭＬ  メニューレイアウト
ＰＬ  ポップアップレイアウト
ＷＬ  視聴レイアウト
ＲＣ  レイアウト構成情報
ＲＴ  レイアウト管理情報
【図１】
2012033015.tif 000003
【図２】
2012033015.tif 000004
【図３】
2012033015.tif 000005
【図４】
2012033015.tif 000006
【図５】
2012033015.tif 000007
【図６】
2012033015.tif 000008
【図７】
2012033015.tif 000009